(57)【特許請求の範囲】
【請求項１】
内燃機関の燃料タンク、キャニスタ、キャニスタと燃料タンクとを接続する蒸発燃料通路、蒸発燃料通路に設けられた封鎖弁、キャニスタと内燃機関の吸気通路とを接続するパージ通路、パージ通路に設けられたパージ制御弁、及びパージ制御弁の開度によりパージ率を調節することでパージ制御を実行するパージ制御手段を備えた蒸発燃料処理装置であって、
パージされる燃料蒸気の濃度を検出するパージ濃度検出手段と、
前記燃料タンクの内圧が上限値を越えると前記封鎖弁を開弁する封鎖弁開弁手段と、
前記封鎖弁開弁手段による前記封鎖弁の開弁実行前において前記パージ濃度検出手段により検出された最新の燃料蒸気濃度を記憶する最新パージ濃度記憶手段と、
前記封鎖弁開弁手段による前記封鎖弁の開弁実行後に、前記パージ制御手段によるパージ制御を初期状態に戻して前記パージ濃度検出手段により検出された燃料蒸気濃度を初期化し、前記封鎖弁の開弁に対応する運転モードに内燃機関運転を制御した状態でパージ制御を実行する封鎖弁開弁後制御手段と、
前記パージ濃度検出手段により検出される燃料蒸気濃度が、前記最新パージ濃度記憶手段にて記憶されている燃料蒸気濃度と同等のレベルまで低下すると、前記封鎖弁開弁後制御手段による制御を終了する封鎖弁開弁後制御終了手段と、
を備え、
前記封鎖弁開弁後制御手段によるパージ制御は、通常時のパージ制御よりもパージを促進する制御であり、
前記封鎖弁開弁後制御終了手段によって前記封鎖弁開弁後制御手段の制御が終了してから、前記パージ制御手段による前記通常時のパージ制御を実行することを特徴とする蒸発燃料処理装置。
【請求項２】
請求項１に記載の蒸発燃料処理装置において、前記封鎖弁開弁後制御手段による前記運転モードは、パージが促進される運転モードであることを特徴とする蒸発燃料処理装置。
【請求項３】
請求項２に記載の蒸発燃料処理装置において、内燃機関は車両走行用駆動源として電動モータと共に車両に搭載されたものであり、前記運転モードは、間欠運転制御による内燃機関の自動停止を禁止する運転モードであることを特徴とする蒸発燃料処理装置。
【請求項４】
請求項２に記載の蒸発燃料処理装置において、前記運転モードは、内燃機関を低負荷とする運転モードであることを特徴とする蒸発燃料処理装置。
【請求項５】
請求項２に記載の蒸発燃料処理装置において、前記運転モードは、内燃機関を一定の低仕事量とする運転モードであることを特徴とする蒸発燃料処理装置。
【請求項６】
請求項２に記載の蒸発燃料処理装置において、前記運転モードは、前記吸気通路において、前記パージ通路が開口する位置よりも上流側に設けられたスロットルバルブの開度に上限を設定する運転モードであることを特徴とする蒸発燃料処理装置。
【請求項７】
請求項４又は５に記載の蒸発燃料処理装置において、内燃機関は車両走行用駆動源として電動モータと共に車両に搭載されたものであり、前記封鎖弁開弁後制御手段は、電動モータが電源とするバッテリの残量が所定残量以下では、前記運転モードは実行しない内燃機関運転状態でパージ制御を実行することを特徴とする蒸発燃料処理装置。
【発明の詳細な説明】
【技術分野】
【０００１】
本発明は、パージ制御弁の開度を調節してパージ通路から燃料蒸気を内燃機関の吸気通路へパージするパージ制御を実行する蒸発燃料処理装置に関する。
【背景技術】
【０００２】
内燃機関に給油する際に燃料タンクで発生する燃料蒸気を処理するための装置として、活性炭等の吸着材を収容したキャニスタを燃料タンクに接続し、給油時以外では封鎖弁によりキャニスタと燃料タンクとの間を封鎖する構成が知られている。
【０００３】
このように封鎖弁にて燃料タンクを密閉している構成では、燃料タンク内力が上昇した場合に、圧力抜きのために一時的に封鎖弁を開ける処理が行われる（例えば特許文献１〜３参照）。
【０００４】
特許文献１では、圧力抜きのために封鎖弁を開弁する処理を行うと共に、この封鎖弁開弁によりキャニスタに燃料蒸気が吸着した場合、この吸着量が上限を越えるとパージ処理を実行することで、キャニスタに吸着している燃料蒸気を全てパージしている。このキャニスタにおける燃料蒸気吸着量は給油時に吸着される量も含めた例が記載されている。
【０００５】
特許文献２では、圧力抜きのために封鎖弁を開弁する処理を行うと共に、封鎖弁開弁に伴って他の弁（大気開放弁）を制御している。
特許文献３では、圧力抜きのために封鎖弁を開弁する処理を行うと共に、給油やパージ履歴に基づいて封鎖弁の開閉制御用圧力閾値を変更している。
【先行技術文献】
【特許文献】
【０００６】
【特許文献１】特開２０１０−２８１２５８号公報（第１０〜１５頁、図３〜７）
【特許文献２】特開２００４−３０８４８３号公報（第５〜８頁、図２）
【特許文献３】特開２００７−  ６４１５４号公報（第９〜１０頁、図６，７）
【発明の概要】
【発明が解決しようとする課題】
【０００７】
特許文献１では、封鎖弁の開弁に伴って、燃料タンクからの蒸発燃料流量と封鎖弁開弁期間とに応じた吸着量が、給油時の吸着量に対して増加したものとして、キャニスタの吸着量を計算し、この新たな吸着量分が全てパージされるようにパージ制御を実行している。
【０００８】
しかし封鎖弁が開弁するのは内燃機関運転による昇温時であるのが通常であり、このような昇温時は、燃料タンク、キャニスタ、パージ通路などでは、場所により可成りの温度差や圧力差などが存在している。このため燃料タンクからの蒸発燃料流量と封鎖弁開弁期間とに応じて算出される吸着量は、相当な誤差を含む可能性がある。更にキャニスタに既に或る程度の吸着量が存在する場合には、この上に更に吸着される量を、蒸発燃料流量と封鎖弁開弁期間とによる単純な計算で求めることには正確性に問題がある。
【０００９】
したがってこのような不正確な吸着量に基づいてパージ制御を実行した場合には、パージ制御完了タイミングを正確に判断できなくなるおそれがある。
すなわち、実際にはキャニスタ吸着量が全て離脱してパージ完了と判断できる状態となっているにもかかわらず、計算される吸着量の誤差のためにパージ完了ではないと判断されるおそれがある。この場合にはパージのための内燃機関運転制御が延長されて燃費が悪化するおそれがある。
【００１０】
あるいは実際にはキャニスタ吸着量がまだ十分に存在しており、パージ完了と判断するには早すぎるにもかかわらず、計算される吸着量の誤差のためにパージ完了と判断してパージ制御を停止する場合があり、次の給油時に燃料タンク内の燃料蒸気を十分に吸着できなくなるおそれがある。
【００１１】
このような問題は特許文献２，３でも解決していない。
本発明は、燃料タンクの内圧上昇に伴って封鎖弁を開弁しても以後のパージ制御の精度を維持して適切にキャニスタの吸着量管理ができる蒸発燃料処理装置の提供を目的とするものである。
【課題を解決するための手段】
【００１２】
以下、上記目的を達成するための手段及びその作用・効果について記載する。
請求項１に記載の蒸発燃料処理装置は、内燃機関の燃料タンク、キャニスタ、キャニスタと燃料タンクとを接続する蒸発燃料通路、蒸発燃料通路に設けられた封鎖弁、キャニスタと内燃機関の吸気通路とを接続するパージ通路、パージ通路に設けられたパージ制御弁、及びパージ制御弁の開度によりパージ率を調節することでパージ制御を実行するパージ制御手段を備えた蒸発燃料処理装置であって、パージされる燃料蒸気の濃度を検出するパージ濃度検出手段と、前記燃料タンクの内圧が上限値を越えると前記封鎖弁を開弁する封鎖弁開弁手段と、前記封鎖弁開弁手段による前記封鎖弁の開弁実行前において前記パージ濃度検出手段により検出された最新の燃料蒸気濃度を記憶する最新パージ濃度記憶手段と、前記封鎖弁開弁手段による前記封鎖弁の開弁実行後に、前記パージ制御手段によるパージ制御を初期状態に戻して前記パージ濃度検出手段により検出された燃料蒸気濃度を初期化し、前記封鎖弁の開弁に対応する運転モードに内燃機関運転を制御した状態でパージ制御を実行する封鎖弁開弁後制御手段と、前記パージ濃度検出手段により検出される燃料蒸気濃度が、前記最新パージ濃度記憶手段にて記憶されている燃料蒸気濃度と同等のレベルまで低下すると、前記封鎖弁開弁後制御手段による制御を終了する封鎖弁開弁後制御終了手段と、を備え、前記封鎖弁開弁後制御手段によるパージ制御は、通常時のパージ制御よりもパージを促進する制御であり、前記封鎖弁開弁後制御終了手段によって前記封鎖弁開弁後制御手段の制御が終了してから、前記パージ制御手段による前記通常時のパージ制御を実行することを特徴とする。
【００１３】
燃料タンクの内圧が上限値を越えることにより封鎖弁開弁手段が封鎖弁を開弁すると、燃料タンク内の燃料蒸気がキャニスタ側へ大量に流れ込む。
このため封鎖弁開弁後制御手段は封鎖弁開弁に対応する運転モードに内燃機関運転を制御した状態でパージ制御を実行する。この内燃機関運転状態でのパージ制御の終了は、封鎖弁開弁後制御終了手段にて行われる。
【００１４】
封鎖弁開弁後制御終了手段は、燃料蒸気濃度が、最新パージ濃度記憶手段が記憶している燃料蒸気濃度と同等のレベルに戻ると、封鎖弁開弁後制御手段による制御を終了し元のパージ制御状態に戻す。
【００１５】
最新パージ濃度記憶手段が記憶している燃料蒸気濃度は、封鎖弁開弁前の元のパージ制御状態での最新の燃料蒸気濃度を記憶している。燃料蒸気濃度はキャニスタ内の燃料蒸気吸着量に高精度に対応しているため、最新パージ濃度記憶手段が記憶している燃料蒸気濃度は封鎖弁開弁前でのキャニスタの燃料蒸気吸着量に高精度に対応していることになる。
【００１６】
このため封鎖弁開弁後制御終了手段により、封鎖弁開弁後制御手段による制御が終了されたタイミングでは、キャニスタ内の燃料蒸気吸着量は、吸着量が全て離脱している場合も含めて正確に封鎖弁開弁前でのキャニスタ内の吸着量に戻っていることになる。
【００１７】
したがって元のパージ制御におけるパージ途中で封鎖弁が開弁された場合には、封鎖弁開弁後制御手段による制御が終了すると、正確にキャニスタの吸着量が封鎖弁開弁前に戻った状態で元のパージ制御によるパージが再開でき、その後、正確にキャニスタの吸着量が全て離脱したタイミングでパージを終了できる。
【００１８】
キャニスタ内の燃料蒸気が全て離脱している状態で封鎖弁が開弁された場合には、封鎖弁開弁後制御手段による制御が終了すると、この終了タイミングでは正確にキャニスタの吸着量は全て離脱した状態となっているので、元のパージ制御に戻ったタイミングでパージは終了することになる。
【００１９】
このようにパージ完了が高精度に判断できることから、パージが必要以上に延長されて内燃機関の燃費が悪化したり、あるいはパージ完了が早すぎて再度の給油時でキャニスタにおける吸着不足が生じたりすることがない。
【００２０】
こうして燃料タンクの内圧上昇に伴って封鎖弁を開弁しても以後のパージ制御の精度を維持でき、適切にキャニスタの吸着量管理ができる。
【００２１】
さらに、封鎖弁開弁後制御手段は、そのパージ制御を実行するに当たって、元のパージ制御がパージの途中であったとしても、パージ制御を初期状態に戻している。すなわち、封鎖弁開弁後は、元のパージ制御を引き継ぐことなく、最初からパージする制御状態に戻している。
【００２２】
したがって例えばパージされる燃料蒸気濃度を空燃比フィードバック制御に基づいて算出している場合には、空燃比フィードバック制御で学習される空燃比フィードバック補正係数などの学習値を最初から新たに演算したり、パージ率や燃料蒸気濃度などを初期値に戻したりする。そして、この初期化された状態でパージ制御を開始することで再度学習演算を最初から実行する。
【００２３】
このため元のパージ制御途中で封鎖弁開弁により不連続にキャニスタにおける吸着量が増加してパージされる燃料蒸気濃度が急激に上昇しても、初期値からパージ制御を開始するため、制御上の各種演算値が大きく変動することがない。したがって、以後のパージ制御の精度を維持できる。
【００２４】
請求項２に記載の蒸発燃料処理装置では、請求項１に記載の蒸発燃料処理装置において、前記封鎖弁開弁後制御手段による前記運転モードは、パージが促進される運転モードであることを特徴とする。
【００２５】
封鎖弁開弁後制御手段におけるパージ制御は、内燃機関をパージが促進される運転モードにてなされる。したがってキャニスタ内の燃料蒸気吸着量を迅速に封鎖弁開弁前の状態に戻すことができる。
【００２６】
しかも燃料蒸気濃度が、最新パージ濃度記憶手段にて記憶されている燃料蒸気濃度と同等のレベルに戻ると、このような運転モードは終了するので、何時までもこのような特別な運転モードは継続しない。このようにパージが促進される運転モードは早期に終了するので、内燃機関の燃費が悪化しない。
【００２７】
請求項３に記載の蒸発燃料処理装置では、請求項２に記載の蒸発燃料処理装置において、内燃機関は車両走行用駆動源として電動モータと共に車両に搭載されたものであり、前記運転モードは、間欠運転制御による内燃機関の自動停止を禁止する運転モードであることを特徴とする。
【００２８】
間欠運転制御では内燃機関の運転が自動停止するため、その際にはパージが不可能となるが、運転モードとして間欠運転制御による内燃機関の自動停止を禁止することにより、パージすることが可能となり、パージが促進されることになる。
【００２９】
請求項４に記載の蒸発燃料処理装置では、請求項２に記載の蒸発燃料処理装置において、前記運転モードは、内燃機関を低負荷とする運転モードであることを特徴とする。
内燃機関を低負荷とすると、吸気圧が低下することからキャニスタからのパージが促進される。
【００３０】
請求項５に記載の蒸発燃料処理装置では、請求項２に記載の蒸発燃料処理装置において、前記運転モードは、内燃機関を一定の低仕事量とする運転モードであることを特徴とする。
【００３１】
このように一定の低仕事量に制御することにより、キャニスタからのパージが促進されると共に、空燃比フィードバック制御やパージ制御が安定化して、パージされる燃料蒸気濃度やキャニスタからの燃料蒸気離脱量などが高精度に判明するので、パージ状態を高精度に管理できる。
【００３２】
請求項６に記載の蒸発燃料処理装置では、請求項２に記載の蒸発燃料処理装置において、前記運転モードは、前記吸気通路において、前記パージ通路が開口する位置よりも上流側に設けられたスロットルバルブの開度に上限を設定する運転モードであることを特徴とする。
【００３３】
このように運転モードとして、スロットルバルブの開度に上限を設定することによって吸気圧上昇を抑制できるので、キャニスタからのパージが促進される。
請求項７に記載の蒸発燃料処理装置では、請求項４又は５に記載の蒸発燃料処理装置において、内燃機関は車両走行用駆動源として電動モータと共に車両に搭載されたものであり、前記封鎖弁開弁後制御手段は、電動モータが電源とするバッテリの残量が所定残量以下では、前記運転モードは実行しない内燃機関運転状態でパージ制御を実行することを特徴とする。
【００３４】
パージが促進される運転モードを実行している期間では、内燃機関の出力に制約を受けることになる。しかし、ハイブリッド車両のごとく車両走行用駆動源として内燃機関と電動モータとが存在する場合には、バッテリを電源とする電動モータの出力を用いることにより、パージが促進される運転モードを実行しても車両走行に支障を来すことはない。
【００３５】
ただし、バッテリの残量が所定残量以下の場合には、電動モータの出力による適切な走行ができなくなるおそれがある。このことから、封鎖弁開弁後制御手段は、バッテリの残量が所定残量以下では、前記運転モードは実行しない。このことにより安定した車両走行を継続させることができる。
【図面の簡単な説明】
【００３６】
【図１】実施の形態１のハイブリッド車両における車両走行用駆動源及びその制御系の構成図。
【図２】実施の形態１のＥＣＵが実行するパージ制御処理のフローチャート。
【図３】実施の形態１のＥＣＵが実行する圧力抜き処理のフローチャート。
【図４】実施の形態１の制御の一例を示すタイミングチャート。
【発明を実施するための形態】
【００３７】
［実施の形態１］
〈構成〉図１は上述した発明が適用されたハイブリッド車両における車両走行用駆動源及びその制御系２を表している。車両走行用駆動源は、後述するパージ機構を備えた内燃機関燃料系４を有する内燃機関６と、電動モータ（ここではモータジェネレータＭＧ２）とからなる。この内燃機関６はガソリンエンジンである。制御系２は、後述するＥＣＵ７０を中心とした構成であり各部を駆動するためのアクチュエータと各種センサ・スイッチ類とを含むものである。
【００３８】
内燃機関６及びモータジェネレータＭＧ２からの回転駆動力は減速機構８により減速されて、駆動輪１０に伝達される。尚、モータジェネレータＭＧ２にはバッテリ１２の電力が、電力制御ユニット１４を介して供給されることにより、モータジェネレータＭＧ２から回転駆動力が出力される。電力制御ユニット１４はバッテリ１２の残量ＳＯＣを常に検出している。
【００３９】
内燃機関６と減速機構８との間には、動力分割機構１６が配置されており、内燃機関６の回転駆動力を、減速機構８側と、発電機としてのモータジェネレータＭＧ１とに分割して供給可能としている。
【００４０】
尚、２つのモータジェネレータＭＧ１，ＭＧ２は、それぞれ発電機としても電動モータとしても機能し、必要に応じてその間の機能を切り換えることができる。
内燃機関６における各気筒の吸気ポート２２にはそれぞれ燃料噴射弁２４が配置されている。これらの燃料噴射弁２４には、燃料タンク２６内に貯留されている燃料が、燃料ポンプモジュール２８により、燃料経路２８ａを介して圧送されて来る。そして燃料噴射制御により、燃料噴射弁２４から所定のタイミングで吸気中に燃料が噴射され、各気筒に吸入されて燃焼される。このことにより内燃機関６が駆動運転される。
【００４１】
更に燃料ポンプモジュール２８に付属する形で燃料温度センサ２８ｂが配置されている。この燃料温度センサ２８ｂにより内燃機関燃料系４の燃料温度、ここでは特に燃料タンク２６内の燃料温度Ｔｆを検出している。
【００４２】
燃料タンク２６内には、フロート３０ａにより燃料タンク２６内の燃料液面レベルＳＧＬを検出するためのフューエルセンダーゲージ３０が設けられている。燃料タンク２６の上部にはタンク内圧センサ３２が設けられて、燃料タンク２６の上部空間２６ａ内の圧力（タンク内圧Ｐｔｆ）を検出している。
【００４３】
給油時における燃料タンク２６内への燃料導入は、フューエルインレットパイプ３４から行われる。燃料タンク２６の上部空間２６ａは蒸発燃料通路３５によりキャニスタ３６に接続されている。キャニスタ３６は内部に燃料蒸気を吸着する活性炭などの吸着材を備えている。
【００４４】
蒸発燃料通路３５の途中には封鎖弁３８ａとリリーフ弁３８ｂとを備えた封鎖弁ユニット３８が設けられている。封鎖弁３８ａは、開弁状態と閉弁状態とで切り換えられる電磁弁であり、給油時に封鎖弁３８ａが開弁状態とされることで、燃料タンク２６の上部空間２６ａとキャニスタ３６とが蒸発燃料通路３５により連通する。このことにより燃料タンク２６の上部空間２６ａに発生している燃料蒸気をキャニスタ３６側へ排出でき、キャニスタ３６ではその燃料蒸気が吸着される。
【００４５】
封鎖弁３８ａを閉弁状態にすると蒸発燃料通路３５が封鎖され、燃料タンク２６の上部空間２６ａに発生している燃料蒸気をキャニスタ３６側へ排出できなくなる。すなわち燃料タンク２６内は密閉される。尚、リリーフ弁３８ｂは、燃料タンク２６側の蒸発燃料通路３５内の圧力と、キャニスタ３６側の蒸発燃料通路３５の圧力との差が過大となると開弁して過大な差圧を解消させるものである。
【００４６】
キャニスタ３６にはフューエルインレットパイプ３４に設けられたフューエルインレットボックス３４ａに連通する大気通路４０が接続されている。この大気通路４０には途中にエアフィルタ４０ａが設けられている。更に大気通路４０には、エアフィルタ４０ａよりもキャニスタ３６側の位置に、常開型電磁弁としての大気開放弁４２が設けられている。
【００４７】
キャニスタ３６は、パージ通路４４により、内燃機関６の吸気通路４６に対して、吸入空気量を調節するスロットルバルブ４８よりも下流の位置で接続されている。パージ通路４４の途中には常閉型電磁弁としてのパージ制御弁５０が配置されている。
【００４８】
このパージ制御弁５０と大気開放弁４２とが開弁状態とされることでパージが実行される。すなわち吸気通路４６内の吸気負圧がパージ通路４４側からキャニスタ３６内に導入されることでキャニスタ３６内の吸着材から燃料蒸気が離脱して、大気通路４０側から導入される空気の気流中に放出される。そして燃料蒸気は、気流に乗ってパージ通路４４から吸気通路４６内を流れる吸気中に放出される。そしてサージタンク５２内に流れ込んだパージ燃料蒸気を含む吸気は各気筒の吸気ポート２２に分配され、燃料噴射弁２４から噴射される燃料と共に、各気筒の燃焼室内に流れ込んで燃焼されることになる。
【００４９】
吸気通路４６においては、エアフィルタ５４とスロットルバルブ４８との間にエアフロメータ５６が設けられて、内燃機関６に供給される吸入空気量ＧＡ（ｇ／ｓｅｃ）を検出している。
【００５０】
内燃機関６から燃焼後の排気を排出する排気通路５８には空燃比センサ６０が設けられて排気成分から空燃比を検出している。
この他、車両ドライバーが操作するアクセルペダルに設けられてアクセル開度ＡＣＣＰを検出するアクセル開度センサ６２、内燃機関６のクランク軸の回転数ＮＥを検出する機関回転数センサ６４、ＩＧＳＷ（イグニションスイッチ）６６、その他のセンサ・スイッチ類が設けられて、それぞれ信号を出力している。他の信号としては、例えば冷却水温、吸気温、車速などが挙げられる。
【００５１】
燃料温度センサ２８ｂ、フューエルセンダーゲージ３０、スロットル開度センサ４８ａ、エアフロメータ５６、空燃比センサ６０、アクセル開度センサ６２、機関回転数センサ６４、ＩＧＳＷ６６などの検出信号は、マイクロコンピュータを中心として構成されているＥＣＵ（電子制御ユニット）７０に入力される。
【００５２】
そして、このような信号データや予め記憶されたり算出されたりするデータに基づいて、ＥＣＵ７０は演算処理を実行して、燃料噴射弁２４からの燃料噴射量、スロットルバルブ４８の開度ＴＡなどを制御する。
【００５３】
更にＥＣＵ７０は、給油後において内燃機関６が運転されている期間においてパージ制御処理を実行する。このパージ制御処理は、給油に伴って封鎖弁３８ａが開弁されることにより燃料タンク２６側から蒸発燃料通路３５を介してキャニスタ３６側に吸着された燃料蒸気を、内燃機関運転中に吸気通路４６に放出する処理である。
【００５４】
このパージ制御処理では、パージ制御弁５０の開弁をデューティ制御することでパージ率を調節して、キャニスタ３６に吸着されている燃料蒸気を、パージ通路４４を介して吸気通路４６へ放出する。尚、このときにパージされる燃料蒸気濃度Ｃｐｆは、空燃比制御における空燃比の制御ずれ量に基づいて、パージ制御中に周期的に行われる演算により学習値として求められる。
【００５５】
そしてこのように求められている燃料蒸気濃度Ｃｐｆ、パージ率及び吸入空気量ＧＡに基づいてキャニスタ３６からの燃料蒸気の離脱量を周期的に演算し、この離脱量が所定量（ここではキャニスタ３６の全吸着量）に到達してキャニスタ３６の吸着燃料蒸気が全て離脱されたことが判明すると、パージを完了する。
【００５６】
このパージ制御処理では、内燃機関６の空燃比に急激な変動を与えないように目標パージ率を設定している。このことにより、空燃比に基づいて周期的な演算により求められている燃料蒸気濃度Ｃｐｆや、キャニスタ３６からの燃料蒸気離脱量を高精度に求めている。
【００５７】
給油時以外においても封鎖弁３８ａが一時的に開弁して多量の燃料蒸気がキャニスタ３６に流れ込む処理がなされる場合がある。このような処理として、ＥＣＵ７０は、タンク内圧センサ３２により検出されるタンク内圧Ｐｔｆが上限値より高くなると、封鎖弁３８ａを開弁することで、燃料タンク２６の上部空間２６ａ内の気体をキャニスタ３６側に排出する圧力抜き処理を実行している。
【００５８】
このようなタンク内圧Ｐｔｆの上昇は、内燃機関運転に伴う発熱により燃料タンク２６が昇温し、このことにより燃料タンク２６の上部空間２６ａでの燃料蒸気圧が上昇することにより生じる。
〈作用〉次に本実施の形態の作用について、ＥＣＵ７０が実行するパージ制御処理（図２）及び圧力抜き処理（図３）により説明する。本処理は短時間周期で繰り返し実行される処理である。尚、個々の処理内容に対応するフローチャート中のステップを「Ｓ〜」で表す。
【００５９】
パージ制御処理（図２）が開始されると、まず圧力抜き後パージモードが設定されているか否かが判定される（Ｓ１０２）。この圧力抜き後パージモードは、後述する圧力抜き処理（図３）にて封鎖弁３８ａが圧力抜きのために開弁した場合に設定されるモードである。
【００６０】
ここで圧力抜き後パージモードが設定されていなければ（Ｓ１０２でＮＯ）、通常時のパージ制御処理が実行される（Ｓ１０４）。すなわち前述したごとく、給油中にキャニスタ３６に吸着された燃料蒸気の全量を、給油後の内燃機関６が運転されている期間において、吸気通路４６にパージする処理が行われる。
【００６１】
図４のタイミングチャートは本実施の形態での制御の一例を示している。タイミングｔ０以前に燃料タンク２６に対して給油が行われ、その後の内燃機関運転期間（ｔ０〜ｔ１）に、前記ステップＳ１０４にて説明したごとくの通常時のパージ制御処理が実行されている。
【００６２】
パージ制御処理（図２）において圧力抜き後パージモードが設定されていれば（Ｓ１０２でＹＥＳ）、ステップＳ１０６以下の処理が実行される。これらの処理の説明に先立って、圧力抜き後パージモードを設定する圧力抜き処理（図３）について説明する。
【００６３】
圧力抜き処理（図３）では、まず封鎖弁３８ａの開弁による燃料タンク２６の圧力抜きの開始前か否かが判定される（Ｓ１５２）。ここで燃料タンク２６の圧力抜き開始前であるとすると（Ｓ１５２でＹＥＳ）、次にタンク内圧Ｐｔｆが上限値を越えているか否かが判定される（Ｓ１５４）。タンク内圧Ｐｔｆが上限値以下であれば（Ｓ１５４でＮＯ）、このまま処理を出る。以後、タンク内圧Ｐｔｆ≦上限値である限り、圧力抜き処理（図３）ではステップＳ１５２，Ｓ１５４の判定のみで実質的な処理はなされない。
【００６４】
図４の例において、タイミングｔ１からは間欠運転制御のために一時的に内燃機関停止状態にされているが、その直前の内燃機関運転（ｔ０〜ｔ１）で発生した燃焼熱により燃料タンク２６内の燃料温度は上昇する。そして、この燃料温度上昇に対応して燃料蒸気圧が次第に高くなる。
【００６５】
この燃料蒸気圧上昇によりタンク内圧Ｐｔｆが上限値を越えた場合（ｔ２）、圧力抜き処理（図３）では、タンク内圧Ｐｔｆ＞上限値と判定される（Ｓ１５４でＹＥＳ）。
この判定により、パージ実行停止がなされる（Ｓ１５６）。図４の例では間欠運転制御により内燃機関自動停止中でありパージ制御弁５０は閉じられてパージは実行されていない。したがって、特にパージ実行停止のためのパージ制御弁５０の閉弁処理は実行しない。ただし内燃機関６が運転されていて、パージ実行中であれば、パージ制御弁５０は完全に閉じられ、パージが強制的に停止される。
【００６６】
次に最新の燃料蒸気濃度Ｃｐｆ、すなわち直前のパージ制御時において最後に算出されている燃料蒸気濃度Ｃｐｆ（図４ではタイミングｔ１にて算出されている燃料蒸気濃度Ｃｐｆ）が燃料蒸気濃度記憶値Ｃａとして記憶される（Ｓ１５８）。この燃料蒸気濃度Ｃｐｆは、前述したごとく空燃比制御における空燃比の制御ずれ量に基づいてパージ制御中に周期的に演算されることにより学習値として求められているものである。尚、強制的にパージ実行を停止した場合には、その強制停止時に算出されている燃料蒸気濃度Ｃｐｆが燃料蒸気濃度記憶値Ｃａとして記憶される。
【００６７】
ステップＳ１５８の次には封鎖弁３８ａの開弁による圧力抜きが実行される（Ｓ１６０：ｔ２〜）。こうして本処理を出る。したがってステップＳ１５８の処理は、封鎖弁３８ａの開弁実行前において検出された最新の燃料蒸気濃度Ｃｐｆを燃料蒸気濃度記憶値Ｃａとして記憶する処理に相当する。
【００６８】
圧力抜きのための封鎖弁３８ａの開弁時には、大気開放弁４２は既に開放状態であるので、燃料タンク２６の上部空間２６ａの燃料蒸気は、封鎖弁３８ａの開弁により蒸発燃料通路３５を介してキャニスタ３６側へ流れてキャニスタ３６に吸着される。
【００６９】
圧力抜き処理（図３）の次の実行周期では、封鎖弁３８ａの開弁による燃料タンク２６の圧力抜きの開始がなされているので（Ｓ１５２でＮＯ）、次に圧力抜きが完了したか否かが判定される（Ｓ１６４）。封鎖弁３８ａの開弁によりタンク内圧Ｐｔｆが十分低下していれば、ここではほぼ大気圧に近くなれば、圧力抜き完了となるが、このタイミングで未だ圧力抜きが完了していないとすると（Ｓ１６４でＮＯ）、このまま本処理を出る。
【００７０】
以後、圧力抜きが完了していなければ、ステップＳ１６４でＮＯと判定される状態が継続する（ｔ２〜）。
そしてタンク内圧Ｐｔｆがほぼ大気圧となることにより圧力抜きが完了したと判定されると（Ｓ１６４でＹＥＳ）、封鎖弁３８ａが閉弁される（Ｓ１６６：ｔ３）。
【００７１】
次にパージ制御において算出されている各種の制御演算値がリセットされて初期値が設定される（Ｓ１６８）。ここでは燃料蒸気濃度Ｃｐｆ及びパージ率などをリセットして初期値に戻す。このことにより、以後になされる圧力抜き後パージモードでは、キャニスタ３６に吸着されている燃料蒸気をパージするに際して、最初の制御状態からパージ制御を開始することになる。
【００７２】
次に間欠運転制御を禁止する設定を行う（Ｓ１７０）。このことにより内燃機関６は自動停止されなくなる。したがってパージ制御処理を実行してもパージは中断されない。
そして圧力抜き後パージモードを設定して（Ｓ１７２）、ステップＳ１５６にて停止したパージ実行を許可して（Ｓ１７４）、本処理を出る。
【００７３】
ステップＳ１６６で封鎖弁３８ａが閉弁されたことにより、圧力抜き開始前の状態に戻る。このことから以後の実行周期ではステップＳ１５２でＹＥＳと判定される。そしてタンク内圧Ｐｔｆは上限値よりも十分に低下しているので（Ｓ１５４でＮＯ）、このまま本処理を出る。
【００７４】
こうして圧力抜き処理（図３）では、燃料タンク２６の圧力抜きが完了した後に、ステップＳ１５２，Ｓ１５４の判定を繰り返す状態に戻る（ｔ３〜）。ただし、パージモードは、圧力抜き後パージモードが設定された状態に変化している。
【００７５】
パージ制御処理（図２）の説明に戻り、圧力抜き処理（図３）のステップＳ１７２にて圧力抜き後パージモードが設定されると（Ｓ１０２でＹＥＳ）、次にバッテリ１２の残量ＳＯＣが所定残量Ｓｆ以上存在するか否かが判定される（Ｓ１０６）。ここで所定残量ＳｆはモータジェネレータＭＧ２の駆動力のみで車両を走行できるバッテリ１２の残量ＳＯＣを判断するための指標である。
【００７６】
ここで残量ＳＯＣ≧所定残量Ｓｆであれば（Ｓ１０６でＹＥＳ）、車両走行中においても、モータジェネレータＭＧ２により車両走行することにより、内燃機関６については一定の低仕事量状態での運転が可能である。このため内燃機関６に対する要求仕事量ＰＥを一定とする内燃機関運転制御を実行する（Ｓ１０８）。ここでは要求仕事量ＰＥは低仕事量であり、負荷が低いので吸気圧が低く維持される。
【００７７】
残量ＳＯＣ＜所定残量Ｓｆであれば（Ｓ１０６でＮＯ）、内燃機関６について一定の低仕事量状態での運転は不可能であることから、要求仕事量ＰＥを一定とする内燃機関運転制御（Ｓ１０８）は実行しない。
【００７８】
ステップＳ１０８の実行後、あるいはステップＳ１０６でＮＯと判定された後に、圧力抜き後のパージ制御が実行される（Ｓ１１０）。具体的には給油後に実行される通常時のパージ制御と同様に、パージ制御弁５０の開弁をデューティ制御することでパージ率を調節し、パージ通路４４から吸気通路４６へ、キャニスタ３６に吸着されている燃料蒸気を離脱して放出する制御が開始される。
【００７９】
この圧力抜き後パージ制御では、前記通常時のパージ制御処理と同様に、パージされる燃料蒸気濃度Ｃｐｆは、空燃比制御における空燃比の制御ずれ量に基づいて、パージ制御中に周期的に演算されることにより学習値として求められる。そしてこの燃料蒸気濃度Ｃｐｆ、パージ率及び吸入空気量ＧＡに基づいてキャニスタ３６内に吸着された燃料蒸気の離脱量を周期的に演算する。
【００８０】
この圧力抜き後のパージ制御では、通常時のパージ制御処理と同様に、内燃機関６の空燃比に急激な変動を与えないように目標パージ率を設定するが、特にバッテリ残量ＳＯＣ≧所定残量Ｓｆでは、要求仕事量ＰＥが一定に維持された状態でパージ制御がなされることになる。したがって、安定した内燃機関運転状態において制御されている空燃比に基づいて周期的な演算により学習値として求められている燃料蒸気濃度Ｃｐｆやキャニスタ３６からの燃料蒸気離脱量は、特に高精度な値として得られることになる。
【００８１】
そして、次にこの圧力抜き後のパージ制御にて算出される燃料蒸気濃度Ｃｐｆが、圧力抜き処理（図３）のステップＳ１５８にて記憶した燃料蒸気濃度記憶値Ｃａと同等のレベルに戻ったか否かが判定される（Ｓ１１２）。ここで「同等のレベルに戻る」とは、燃料蒸気濃度Ｃｐｆが低下し始めてから、燃料蒸気濃度記憶値Ｃａと完全に同一の値あるいはこれよりも低濃度になった状態である、あるいは燃料蒸気濃度記憶値Ｃａより少し高濃度側に設定した閾値と一致あるいはこれよりも低濃度になった状態としても良い。
【００８２】
前出したごとく、圧力抜き後パージ制御では、制御開始前に圧力抜き処理（図３）のステップＳ１６８にて、各種制御演算値が初期化されている。したがって算出されている燃料蒸気濃度Ｃｐｆの初期値は、あらためて最初から学習演算するために特定の低い値に設定されている（図４：ｔ３）。
【００８３】
しかし封鎖弁３８ａの開弁後ではキャニスタ３６には多量の燃料蒸気が吸着されており、実際にパージされる燃料蒸気濃度は、燃料蒸気濃度Ｃｐｆの初期値よりも十分に高い。（尚、図４の燃料蒸気濃度Ｃｐｆのタイミングチャートでは、上方が低濃度、下方が高濃度を示す。）
したがって、前述したごとく空燃比に基づいて周期的な演算がなされることにより正確な燃料蒸気濃度Ｃｐｆが算出されるようになり、燃料蒸気濃度Ｃｐｆと実際にパージされる燃料蒸気濃度との差は解消されてゆく。
【００８４】
このため圧力抜き後パージ制御処理の当初においては、燃料蒸気濃度Ｃｐｆは燃料蒸気濃度記憶値Ｃａより低濃度状態を示すが、しばらくして空燃比に基づく周期的な演算により、燃料蒸気濃度Ｃｐｆの値は実際にパージされる燃料蒸気濃度に近づくため、一旦、燃料蒸気濃度記憶値Ｃａを横切る（図４：ｔ４）。このように燃料蒸気濃度記憶値Ｃａを越えてから（ｔ４〜）、燃料蒸気濃度Ｃｐｆは実際にパージされている燃料蒸気濃度を表す状態となる。
【００８５】
その後、パージが継続することで燃料蒸気濃度Ｃｐｆは次第に低下（図４のタイミングチャートでは実線の上昇部分）して燃料蒸気濃度記憶値Ｃａと同等のレベルに戻る（ｔ５）。このように燃料蒸気濃度Ｃｐｆが燃料蒸気濃度記憶値Ｃａと同等のレベルに戻るまでは、ステップＳ１１２ではＮＯと判定される。
【００８６】
尚、ステップＳ１１２でＮＯと判定された場合に、スロットルバルブ４８の開度（スロットル開度ＴＡ）の制限設定がなされる（Ｓ１１４）。このスロットル開度ＴＡの制限設定は、スロットルバルブ４８の下流側における吸気負圧を高めて、パージを促進するためになされる。
【００８７】
こうして本処理を出る。以後、燃料蒸気濃度Ｃｐｆが燃料蒸気濃度記憶値Ｃａと同等のレベルに戻るまでは、スロットル開度ＴＡの制限設定状態での圧力抜き後パージ制御が継続する。
【００８８】
このような迅速なパージ制御が継続した後に、燃料蒸気濃度Ｃｐｆが燃料蒸気濃度記憶値Ｃａと同等のレベルに戻ると（ｔ５）、ステップＳ１１２にてＹＥＳと判定される。
そして次にスロットル開度ＴＡの制限設定が解除され（Ｓ１１６）、要求仕事量ＰＥ一定での内燃機関運転制御が解除され（Ｓ１１８）、間欠運転制御禁止が解除され（Ｓ１２０）、圧力抜き後パージモードが解除されて（Ｓ１２２）、本処理を出る。
【００８９】
次の実行周期では、圧力抜き後パージモードが解除されたことから、ステップＳ１０２にてＮＯと判定されて、通常時のパージ制御が実行されるようになる（Ｓ１０４）。尚、図４の例では、直ちに間欠運転制御による内燃機関６の自動停止に入っているため、実際のパージは中断している（ｔ５〜）。
【００９０】
又、タンク内圧Ｐｔｆ＞上限値（Ｓ１５４でＹＥＳ）となったタイミングが、既に通常のパージ制御にてパージが完了していた場合には、圧力抜き後パージモードが解除されて（Ｓ１０２でＮＯ）、通常のパージ制御実行状態（Ｓ１０４）に戻っても、実際にはパージは完了することになる。
〈請求項との関係〉上述した構成において制御系２及び内燃機関燃料系４が蒸発燃料処理装置に相当し、ＥＣＵ７０がパージ制御手段、パージ濃度検出手段、最新パージ濃度記憶手段、封鎖弁開弁手段、封鎖弁開弁後制御手段、及び封鎖弁開弁後制御終了手段に相当する。
【００９１】
パージ制御処理（図２）のステップＳ１０４，Ｓ１１０がパージ制御手段としての処理に相当する。空燃比制御における空燃比の制御ずれ量に基づいてパージされる燃料蒸気濃度Ｃｐｆを求める処理がパージ濃度検出手段としての処理に相当する。圧力抜き処理（図３）のステップＳ１５８が最新パージ濃度記憶手段としての処理に、ステップＳ１５４，Ｓ１６０が封鎖弁開弁手段としての処理に相当する。パージ制御処理（図２）のステップＳ１０６〜Ｓ１１０，Ｓ１１４及び圧力抜き処理（図３）のステップＳ１６８，Ｓ１７０〜Ｓ１７４が封鎖弁開弁後制御手段としての処理に相当する。パージ制御処理（図２）のステップＳ１１２〜Ｓ１２２が封鎖弁開弁後制御終了手段としての処理に相当する。
〈効果〉（１）タンク内圧Ｐｔｆが上限値を越えて封鎖弁３８ａが開弁し、このことにより圧力抜きが実行されると、この圧力抜きに対応する運転モード（Ｓ１７０，Ｓ１０８，Ｓ１１４）に内燃機関運転を制御している。このような運転モードによる内燃機関運転状態でのパージ制御は、燃料蒸気濃度Ｃｐｆが燃料蒸気濃度記憶値Ｃａと同等のレベルに戻った場合に（Ｓ１１２でＹＥＳ）、終了となり（Ｓ１１６〜Ｓ１２２）、元の通常時のパージ制御状態に戻る（Ｓ１０４）。
【００９２】
燃料蒸気濃度記憶値Ｃａは、封鎖弁３８ａの開弁前において通常時のパージ制御状態での最新の燃料蒸気濃度Ｃｐｆを記憶したものである。燃料蒸気濃度Ｃｐｆはキャニスタ３６内の燃料蒸気吸着量に高精度に対応していることから、燃料蒸気濃度記憶値Ｃａは封鎖弁開弁前でのキャニスタ３６の燃料蒸気吸着量に高精度に対応した値となっている。
【００９３】
このためステップＳ１１２の判定にてＹＥＳと判定されたタイミングでは、キャニスタ３６内の燃料蒸気吸着量は、吸着量が全て離脱している場合も含めて正確に封鎖弁開弁前でのキャニスタ３６内の吸着量に戻っていることになる。
【００９４】
したがって元のパージ制御においてパージ途中で封鎖弁３８ａが開弁された場合には、ステップＳ１１２にてＹＥＳと判定された後は、正確にキャニスタ３６の吸着量が封鎖弁開弁前に戻った状態で元のパージ制御によるパージが再開できる。したがって、その後、正確にキャニスタ３６の吸着量が全て離脱したタイミングでパージを終了できる。
【００９５】
又、キャニスタ３６内の燃料蒸気が全て離脱している状態で封鎖弁３８ａが開弁された場合には、ステップＳ１１２にてＹＥＳと判定されたタイミングでは正確にキャニスタ３６の吸着量が全て離脱した状態となっているので、元のパージ制御に戻ったタイミングでパージは終了することになる。
【００９６】
このようにパージ完了が高精度に判断でき、パージが必要以上に延長されて内燃機関６の燃費が悪化したり、あるいはパージ完了が早すぎて再度の給油時でキャニスタ３６における吸着不足が生じたりすることがない。
【００９７】
こうしてタンク内圧Ｐｔｆの上昇に伴って封鎖弁３８ａを開弁しても以後のパージ制御の精度を維持でき、適切にキャニスタ３６の吸着量管理ができる。
（２）圧力抜き後のパージ制御（Ｓ１１０）を実行するに当たって、封鎖弁３８ａの開弁前において通常時のパージ制御（Ｓ１０４）がパージ途中であってパージが完了していない状態であったとしても、パージ制御を初期状態に戻している（Ｓ１６８）。このことにより、封鎖弁開弁後のパージ制御（Ｓ１１０）は、パージ途中の制御状態から継続されるのではなく、最初からパージする制御状態に戻される。
【００９８】
すなわち、ここでは空燃比フィードバック制御に基づいて燃料蒸気濃度Ｃｐｆが算出されているが、この燃料蒸気濃度Ｃｐｆやパージ率などを初期値に戻したり、空燃比フィードバック補正係数などの学習値を最初から新たに演算したりして、学習演算を再度最初から実行している。
【００９９】
このためパージ制御途中で、封鎖弁３８ａが開弁して、キャニスタ３６における吸着量が不連続に増加してパージされる燃料蒸気濃度Ｃｐｆが急激に上昇しても、初期値からパージ制御を開始しているため制御上の各種演算値が大きく変動することがない。このため高精度な燃料蒸気濃度Ｃｐｆが求められ、以後のパージ制御の精度を維持できる。
【０１００】
（３）封鎖弁３８ａの開弁に対応する運転モード（Ｓ１７０，Ｓ１０８，Ｓ１１４）は、パージが促進される運転モードである。したがってキャニスタ３６内の燃料蒸気吸着量を、迅速に封鎖弁３８ａの開弁直前の状態に戻すことができる。しかも燃料蒸気濃度Ｃｐｆが燃料蒸気濃度記憶値Ｃａと同等のレベルに戻ると、このような運転モードは終了する。このため、何時までもこのような特別な運転モードは継続せず早期に終了するので、内燃機関６の燃費が悪化しない。
【０１０１】
（４）特に、ステップＳ１０８の処理では、一定の低仕事量に制御している。このことによりパージが促進されると共に、空燃比フィードバック制御やパージ制御が安定化して、パージされる燃料蒸気濃度Ｃｐｆやキャニスタ３６からの燃料蒸気離脱量が高精度に判明するので、パージ状態を高精度に管理できる。
【０１０２】
（５）圧力抜き後のパージ制御では、スロットル開度ＴＡに制限を設けている（Ｓ１１４）。このためバッテリ１２の残量ＳＯＣが所定残量Ｓｆ未満で（Ｓ１０６でＮＯ）、要求仕事量ＰＥ一定での内燃機関運転（Ｓ１０８）が不可能となっていても、スロットルバルブ４８より下流の吸気通路４６内での吸気負圧を確保できる。したがってバッテリ１２の残量ＳＯＣが少なくても、パージ促進が可能である。
【０１０３】
（６）パージが促進される運転モードを実行すると内燃機関６の出力に制約が生じる。しかしハイブリッド車両用の内燃機関６であることから、バッテリ１２の残量ＳＯＣが所定残量Ｓｆ以上であれば（Ｓ１０６でＹＥＳ）、バッテリ１２を電源とする電動モータ（ここではモータジェネレータＭＧ２）の出力を用いることにより、要求仕事量ＰＥ一定での内燃機関運転（Ｓ１０８）としても、車両走行に支障を来すことはない。
【０１０４】
バッテリ１２の残量ＳＯＣが所定残量Ｓｆ未満の場合には（Ｓ１０６でＮＯ）、モータジェネレータＭＧ２の出力による適切な走行ができなくなるおそれがある。この場合には、要求仕事量ＰＥ一定での内燃機関運転（Ｓ１０８）は実行しないようにすることにより安定した車両走行を継続させることができる。この場合は前記（５）に説明したごとく吸気負圧を確保できるのでパージ促進は可能である。
【０１０５】
［その他の実施の形態］
・封鎖弁３８ａの開弁後の制御として、パージ制御処理（図２）では、ステップＳ１０６，Ｓ１０８は実行せずに、ステップＳ１１４のスロットル開度ＴＡの制限によるパージ促進のみを実行しても良い。
【０１０６】
あるいは、パージ制御処理（図２）では、ステップＳ１１４は実行せずに、ステップＳ１０６，Ｓ１０８によるパージ促進のみを実行しても良い。
あるいは、パージ制御処理（図２）ではステップＳ１０６，Ｓ１０８，Ｓ１１４を実行せずに、圧力抜き処理（図３）の間欠運転制御禁止設定（Ｓ１７０）によるパージ促進のみを実行しても良い。
【０１０７】
あるいは、圧力抜き処理（図３）では間欠運転制御禁止設定（Ｓ１７０）は実行せずに、パージ制御処理（図２）のステップＳ１０６，Ｓ１０８あるいはステップＳ１１４によるパージ促進のみを実行しても良い。
【０１０８】
・前記実施の形態において、空燃比センサ６０でなく、酸素センサを用いて空燃比制御を実行しても良い。
・前記実施の形態では、車両はハイブリッド車両であるが、通常のガソリンエンジン車両でも良い。この場合には、間欠運転制御及びこれに関連する処理はなされない。
【符号の説明】
【０１０９】
２…制御系、４…内燃機関燃料系、６…内燃機関、８…減速機構、１０…駆動輪、１２…バッテリ、１４…電力制御ユニット、１６…動力分割機構、２２…吸気ポート、２４…燃料噴射弁、２６…燃料タンク、２６ａ…上部空間、２８…燃料ポンプモジュール、２８ａ…燃料経路、２８ｂ…燃料温度センサ、３０…フューエルセンダーゲージ、３０ａ…フロート、３２…タンク内圧センサ、３４…フューエルインレットパイプ、３４ａ…フューエルインレットボックス、３５…蒸発燃料通路、３６…キャニスタ、３８…封鎖弁ユニット、３８ａ…封鎖弁、３８ｂ…リリーフ弁、４０…大気通路、４０ａ…エアフィルタ、４２…大気開放弁、４４…パージ通路、４６…吸気通路、４８…スロットルバルブ、４８ａ…スロットル開度センサ、５０…パージ制御弁、５２…サージタンク、５４…エアフィルタ、５６…エアフロメータ、５８…排気通路、６０…空燃比センサ、６２…アクセル開度センサ、６４…機関回転数センサ、６６…ＩＧＳＷ、７０…ＥＣＵ、ＭＧ１，ＭＧ２…モータジェネレータ。
【図１】
0005772212.tif 000002
【図２】
0005772212.tif 000003
【図３】
0005772212.tif 000004
【図４】
0005772212.tif 000005